(57)【要約】【課題】ユーザの直感的な操作によってロックの開始及びロックの解除を行う端末装置を提供する。【解決手段】画面を有する表示部と、前記表示部の画面に対する操作を示す操作情報を検出する検出部と、前記操作情報が前記画面上の複数の位置を示す情報を含み、前記複数の位置の変化の軌跡が予め定められる図形をなぞる軌跡である場合、予め定められる処理のロック開始またはロック解除を行う制御部と、を備える端末装置。【選択図】図１
2014045424.tif 000002
【特許請求の範囲】
【請求項１】
画面を有する表示部と、
前記表示部の画面に対する操作を示す操作情報を検出する検出部と、
前記操作情報が前記画面上の複数の位置を示す情報を含み、前記複数の位置の変化の軌跡が予め定められる図形をなぞる軌跡である場合、予め定められる処理をロックする制御部と、
を備えることを特徴とする端末装置。
【請求項２】
前記予め定められる図形は、円であり、前記複数の位置は、２つの位置であり、前記２つの位置の変化は、前記円の円周に沿って同方向に動いて前記円をなぞる軌跡である
ことを特徴とする請求項１に記載の端末装置。
【請求項３】
前記制御部は、前記複数の位置の変化の軌跡の長さと、予め定められる所定の長さとに基づいて、前記予め定められる処理をロックするか否かを判定する
ことを特徴とする請求項１または２に記載の端末装置。
【請求項４】
前記予め定められる処理は、複数の処理があり、
前記複数の処理の各々は、それぞれ異なる長さに対応付けられており
前記制御部は、前記複数の位置の変化の軌跡の長さに応じた処理を選択し、選択した処理をロックする
ことを特徴とする請求項１から３のいずれか１つに記載の端末装置。
【請求項５】
画面を有する表示部と、
前記表示部の画面に対する操作を示す操作情報を検出する検出部と、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する制御部と、
を備えることを特徴とする端末装置。
【請求項６】
前記予め定められる図形は、円であり、前記複数の位置は、２つの位置であり、前記２つの位置の変化は、前記円の円周に沿って同方向に動いて前記円をなぞる軌跡である
ことを特徴とする請求項５に記載の端末装置。
【請求項７】
画面に対する操作を示す操作情報を検出し、
前記操作情報が前記画面上の複数の位置を示す情報を含み、前記複数の位置の変化の軌跡が予め定められる図形をなぞる軌跡である場合、予め定められる処理をロックする
ことを特徴とするロック開始方法。
【請求項８】
コンピュータに、
画面に対する操作を示す操作情報を検出する手順、
前記操作情報が前記画面上の複数の位置を示す情報を含み、前記複数の位置の変化の軌跡が予め定められる図形をなぞる軌跡である場合、予め定められる処理をロックする手順
を実行させるためのプログラム。
【請求項９】
画面に対する操作を示す操作情報を検出し、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する
ことを特徴とするロック解除方法。
【請求項１０】
コンピュータに、
画面に対する操作を示す操作情報を検出する手順、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する手順
を実行させるためのプログラム。
【発明の詳細な説明】
【技術分野】
【０００１】
本発明は、例えば、誤操作の防止を行う端末装置、ロック開始方法、ロック解除方法及びプログラムに関する。
【背景技術】
【０００２】
近年、スマートフォンに代表される携帯可能な情報通信装置では、ユーザがタッチパネルを指で操作することによって各種の機能を利用する構成が用いられている。このような情報通信装置では、例えば、鞄の中に入れられているときにタッチパネルに何かが触れることにより誤動作が生じる可能性があり、この誤動作を防止するため、タッチパネルからの操作を受け付けないようにするロック機能を備えている。例えば、特許文献１、２に記載の技術では、２つの筐体からなる携帯端末において、２つの筐体の相対的な位置によりロックを開始したり、ロックを解除したりする技術が開示されている。また、特許文献３に記載の技術では、直感的な操作によってロックの解除を可能とする技術が開示されている。
【先行技術文献】
【特許文献】
【０００３】
【特許文献１】特開２００９−１５７８０９号公報
【特許文献２】特開２０１１−２５４５２７号公報
【特許文献３】特開２０１２−０４９８７２号公報
【発明の概要】
【発明が解決しようとする課題】
【０００４】
しかしながら、特許文献１、２に記載の技術では、２つの筐体の存在が前提となっており、近年、普及している１つの筐体からなるスマートフォン等には適用できないという問題がある。また、特許文献２に記載の技術では、ロックを開始する際には、電源のオフに伴ってロック状態になるだけであり、特許文献１、２のようにユーザがロックを行いたいタイミングでロックを開始することができないという問題がある。
【０００５】
本発明は、上記問題を解決すべくなされたもので、その目的は、ユーザの直感的な操作によってロックの開始及びロックの解除を行う端末装置、ロック開始方法、ロック解除方法及びプログラムを提供することにある。
【課題を解決するための手段】
【０００６】
上記問題を解決するために、本発明の一態様である端末装置は、画面を有する表示部と、前記表示部の画面に対する操作を示す操作情報を検出する検出部と、前記操作情報が前記画面上の複数の位置を示す情報を含み、前記複数の位置の変化の軌跡が予め定められる図形をなぞる軌跡である場合、予め定められる処理をロックする制御部と、を備える。
【０００７】
上記問題を解決するために、本発明の一態様である端末装置は、画面を有する表示部と、前記表示部の画面に対する操作を示す操作情報を検出する検出部と、前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する制御部と、を備える。
【０００８】
上記問題を解決するために、本発明の一態様であるロック開始方法は、画面に対する操作を示す操作情報を検出し、前記操作情報が前記画面上の複数の位置を示す情報を含み、前記複数の位置の変化の軌跡が予め定められる図形をなぞる軌跡である場合、予め定められる処理をロックすることを特徴とする。
【０００９】
上記問題を解決するために、本発明の一態様であるプログラムは、コンピュータに、画面に対する操作を示す操作情報を検出する手順、前記操作情報が前記画面上の複数の位置を示す情報を含み、前記複数の位置の変化の軌跡が予め定められる図形をなぞる軌跡である場合、予め定められる処理をロックする手順を実行させるためのプログラムである。
【００１０】
上記問題を解決するために、本発明の一態様であるロック解除方法は、画面に対する操作を示す操作情報を検出し、前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除することを特徴とする。
【００１１】
上記問題を解決するために、本発明の一態様であるプログラムは、コンピュータに、画面に対する操作を示す操作情報を検出する手順、前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する手順を実行させるためのプログラムである。
【発明の効果】
【００１２】
この発明によれば、ユーザの直感的な操作によって、端末装置のロックの開始及びロックの解除を行うことが可能となる。
【図面の簡単な説明】
【００１３】
【図１】本発明の第１実施形態の端末装置を示すブロック図である。
【図２】同実施形態のロック開始及び解除の操作を示す図である。
【図３】同実施形態の端末装置の処理を示すフローチャートである。
【図４】同実施形態の端末装置の操作の例を示した図（その１）である。
【図５】同実施形態の端末装置の操作の例を示した図（その２）である。
【図６】同実施形態の端末装置の操作の例を示した図（その３）である。
【図７】同実施形態の端末装置の操作の例を示した図（その４）である。
【図８】本発明の第２実施形態の端末装置を示すブロック図である。
【図９】同実施形態の記憶部が記憶するデータベースの構成を示す図である。
【図１０】同実施形態の端末装置の処理を示すフローチャートである。
【発明を実施するための形態】
【００１４】
（第１実施形態）
以下、本発明の実施形態について図面を参照して説明する。
図１は、本発明に係る第１実施形態の端末装置１のブロック図である。端末装置１は、指やスタイラスペン等の入力デバイスによる操作を受け付けることができるタッチパネルを備えており、例えば、無線による通信が可能なスマートフォンなどである。また、端末装置１は、その他にタッチパネルを備えたパーソナルコンピュータ等の装置に適用することもできる。端末装置１は、制御部１３、及びタッチパネルを構成する表示部１１と検出部１２を備える。表示部１１は、例えば、液晶表示デバイスであり、制御部１３の処理によりアプリケーションプログラムが出力するアイコンなどの画像情報やメールなどのテキスト情報を表示する。
【００１５】
検出部１２は、表示部１１の画面上に配置されるタッチパッドを有しており、当該タッチパッドの操作面上に対して行われた操作の位置情報を検出して出力する。表示部１１の画面とタッチパッドの操作面の座標は同一であるため、この位置情報は、表示部１１の画面のどの位置に操作が行われたかを示すことになる。検出部１２は、活性状態と不活性状態を有しており、活性状態の間は、操作面上に対する操作の有無を検出しつづけ、操作が行われると操作が行われた位置情報を検出して制御部１３に出力する。また、検出部１２は、活性状態において一定時間、操作を検出しない場合、操作の有無の検出は行い続けるが位置情報の検出を行わない不活性状態に遷移し、不活性状態において操作があったことを検出すると活性状態に遷移する。制御部１３は、検出部１２の操作面に操作があっても当該操作に基づく処理を行わないようにするロック開始処理、ロックされた状態を解除するロック解除処理を行う他、アプリケーションプログラムの起動、実行、終了の処理や無線通信の処理など端末装置１の全体的な制御を行う。
なお、検出部１２は、ユーザの指などの入力デバイスが操作面に接触した際に接触した位置に関する位置情報を検出するだけでなく、静電容量の変化による位置情報の検出を行うため、入力デバイスと操作面が非接触状態であっても予め定められる一定の距離に近接した場合にも位置情報の検出を行う。以下、本実施形態及び第２実施形態において、ユーザの操作面に対する操作については、主としてユーザの指が操作面に接触し接触した位置に関する位置情報が検出される状態について記載するが、同時にユーザが指を操作面の近傍に近づけて非接触状態で位置情報が検出される状態の意味も含むものとする。
【００１６】
図２は、端末装置１のユーザによるロックを開始する操作を示した図である。図２は、端末装置１の表示部１１に、アプリケーションプログラムの起動が行われることを示す複数個のアイコン１００、１０１などが表示されている状態を示している。検出部１２が活性状態である状態において、例えば、ユーザが人差し指でアイコン１００の箇所に触れると、検出部１２は、指と操作面が接触した位置情報を検出して制御部１３に出力する。制御部１３は、位置情報が示す位置に表示されているアイコン１００に関連付けられたアプリケーションプログラムを起動する。
図３は、端末装置１の処理を示したフローチャートであり、図２及び図３を参照しつつ端末装置１のロック開始処理及びロック解除処理について説明する。
検出部１２は、ロック状態かロック解除状態に関わらず、前述の通り一定時間が経過すると不活性状態になり、操作面上の接触を検出すると活性状態に戻る。検出部１２は、活性状態において、操作面上において操作が行われると操作のあった位置の位置情報の検出を再開し、検出した位置情報を順次制御部１３に出力する（ステップＳ１０１）。
【００１７】
この活性状態において、図２に示すようにユーザが親指と人差し指の２本の指で、あたかも表示部１１の中央付近にドアの鍵のつまみがあり、そのつまみをひねる動きのように操作面上で、２本の指の間隔をほぼ円の直径と同じ長さに維持した状態で、時計回りに円をなぞるような操作を行う。検出部１２は、２つの指が操作面で接触している位置の位置情報を時系列に検出して制御部１３に順次出力する。制御部１３には、表示部１１の中央を中心としアイコン１００を囲むぐらいの直径を有する円の円周の座標情報が予めプログラムにより設定されている。制御部１３は、検出部１２から出力された２つの位置情報の変化の跡、すなわち軌跡Ｌ１が、予め設定されている円をなぞる軌跡になっているという特定の操作を示すものであるか否かを判定する。１本の指をすばやく動かして２点を操作する操作と、２本の指による連続した操作を区別するためには、一定時間の間２つの位置情報が検出されている必要がある。一定時間の間に２つの位置情報が検出できた場合、この２つの位置を始点としてそこからの位置情報の変化を検出していくことになる。２つの指を動かしていく途中で、途切れることがあったとしても、短い長さであれば、補間演算などにより連続する操作として検出するものとする（ステップＳ１０２）。
【００１８】
制御部１３は、軌跡Ｌ１が予め設定されている円をなぞる軌跡になっているという特定の操作であると判定した場合、制御部１３は、次に、現在の状態がロック状態か否かを判定する（ステップＳ１０３）。一方、制御部１３は、特定の操作ではないと判定した場合、ステップＳ１０１の処理に戻り、検出部１２の操作面に対する操作の検出が継続することになる。ステップＳ１０３の判定は、例えば、制御部１３内の記憶領域にロック状態を示すフラグの領域を確保し、この領域にロックを開始した際にフラグを１に設定し、ロックを解除した際に０を設定することで、このフラグを判定することにより行う。制御部１３は、ロック状態であると判定した場合、ロック開始処理、すなわちロック解除処理以外の検出部１２から出力される位置情報に基づく新たな処理の起動を行わず、実行中の処理を中断させる状態に遷移する処理を行う。すなわち、ロック状態においてもユーザが操作していたアプリケーションプログラムは実行中であり、状態が保持されたまま操作が行えない状態となる。例えば、待ち受け画面でロックの操作を行った場合、表示部１１の画面は待ち受け画面のままとなる。制御部１３は、ロック状態を示すフラグに１を設定する（ステップＳ１０４）。一方、制御部１３は、ロック状態であると判定した場合、ロック状態を解除するロック解除処理を行い、ロック状態を示すフラグに０を設定する（ステップＳ１０５）。
【００１９】
制御部１３によるステップＳ１０２の特定の操作であるか否かの判定の処理は、２つの位置情報の変化の軌跡のそれぞれが、中心に対して予め定められる一定範囲の曲率の弧になっているか否かにより行う。したがって、ユーザは、上記のように人差し指と親指を使っていても、指の長さの違いによる曲率の差を考慮する必要はなく、２つの指がそれぞれ描く曲線の曲率が一定範囲に含まれていればよい。このため、ユーザが使う指も人差し指と親指に限られず、任意の２本の指を用いても同様に検出することができる。また、完全に円をなぞれていなくともよく、例えば、円周の半分以上等の予め設定される長さ以上の長さの軌跡が検出されていれば特定の操作であると判定するようにすることもできる。
【００２０】
上記の第１実施形態の構成により、ユーザは、ロックを行いたいタイミングで直感的な操作により端末装置１に対するロックの開始を容易に行うことができ、検出部１２の操作面上に対する誤操作による入力を防止することが可能となる。また、ロックの解除も同様の操作をすることによりユーザがロックの解除を行いたいタイミングで容易にロックの解除を行うことが可能となる。
また、一般的に、スマートフォン等では、ユーザの操作によりロックの開始を行ったりロックの解除を行ったりする場合は、ロックの開始及び解除のためのパスワードやＰＩＮを入力するための画面を表示して入力する必要がある。これに対して、第１実施形態の構成では、１つの位置情報で操作されるアプリケーションプログラムが実行中であっても、それに対する操作と区別ができる２つの位置情報に基づく操作によってロック開始と解除の処理を行う構成となっている。したがって、第１実施形態の構成では、ロックの操作を行うための画面を表示することなく、アプリケーションプログラムの実行状態からすぐにロック状態に遷移させることが可能となる。
【００２１】
また、上記のロック状態においてユーザの指による入力を補助する表示を表示部１１に行うようにしてもよい。例えば、図４（Ａ）のように、制御部１３が制御部１３に予め設定されている円の中心の座標に×のマーク５０の画像情報を表示部１１に表示するようにしてもよい。これにより、ユーザは、どの辺りをなぞればよいか当該マーク５０から推測できることになる。また、図４（Ｂ）に示すように予め設定されている円の図形５１そのものを表示部１１に表示するようにしてもよい。これにより、ユーザに明確にロック解除の操作を行うべき位置を示すことが可能となる。また、円の全ての円周を示すのではなく、どこまでなぞればロック解除が可能となるかを示すような円周のうちの一部、例えば、右上９０度分と左下９０度分の２つの弧を示すことにより、人差し指と親指を円周の上と下に接触させてそれぞれ９０度分なぞればロックを解除することができることを示すことができる。また、マーク５０や図形５１以外に、円の直径や半径を示すようなつまみやレバー形状の表示物を表示させるようにしてもよい。また、図４（Ｂ）のように円の図形５１を表示するのではなく、図５（Ａ）に示すように円の領域以外の画面の背景色を変えて円形の部分が明確に視認できるようにしてもよい。
【００２２】
また、図２、図４、図５（Ａ）に示した軌跡Ｌ１は、例として示した指の軌跡であり、表示部１１には表示されないものとして説明したが、ユーザがなぞった跡の軌跡Ｌ１を連続的に表示部１１に表示させるようにしてもよい。これにより、ユーザが操作を一旦中断した場合であってもその途中からなぞることを継続することが可能となる。例えば、移動中などの振動が発生するような、ユーザが連続的な操作を継続できないような状態であっても、この構成により入力を完了させることが可能となる。
【００２３】
また、上記の第１実施形態の構成では、円の中心を表示部１１の中央としたが、表示部１１の中央に限られず、円の円周が表示部１１に収まる位置であればどこの位置であってもよく、ユーザの嗜好に応じた位置にすることができる。
また、ユーザが２つの指で円周をなぞる方向は、時計回りに限られず、反時計周りでもよく、ロックを開始する際には時計回り、ロックを解除する際には反時計周りにするようにしてもよい。
また、円の直径は、図２のアイコン１００を囲むぐらいの直径に限られず、任意の大きさを制御部１３に予め設定しておくことが可能であり、ユーザの嗜好や手の大きさに合わせた設定を行うことができる。
また、軌跡Ｌ１は、上記の例では、円周１周または半分以上であってもよいと説明したが、中心に対する曲率の大小に応じた角度にしてもよい。すなわち、大きな円であれば、１つの指で１８０度、つまり２つの指で３６０度分なぞることになるが、小さな円であれば、２回転、３回転なぞるようにしてもよい。
また、円周をなぞれているか否かの判定の処理は、曲率を用いる以外に、制御部１３が予め記憶している円と当該軌跡によって表される図形の相関演算から得られる相関値などによって判定してもよい。
また、制御部１３に予め設定される座標情報の図形は円に限られず、四角形などの円以外の図形であってもよい。また、前述したように完全な円でなく、一部が欠けている円弧や楕円であってもよい。また、これらの図形の座標情報は、プログラムによって予め設定されるのではなく、書き換え可能な記憶領域に記憶させ、それを読み出して設定するようにすることで、任意に変更することが可能になっていてもよい。
また、２つの位置情報に限られず、ユーザが２つ以上の複数の指を使ってなぞることにより、検出部１２が複数の位置情報を検出し、制御部１３が複数の位置情報の変化を示す軌跡に基づいて予め記憶している図形をなぞっているか否かを判定することにより、ロックを開始する処理、またはロックを解除する処理を行うようにしてもよい。
【００２４】
また、上記の第１実施形態の構成では、ユーザが指でなぞる対象となる円が１つの場合について説明したが、本実施形態はこの構成に限られず、制御部１３に予め複数の円を設定するようにしてもよい。例えば、図５（Ｂ）に示すように表示部１１の四隅を入力対象の領域に設定するようにすることもできる。このように構成することで、例えば、ユーザが端末装置１を片手でしか持てない状況であっても、端末装置１を人差し指と親指以外の指で把持し、残った人差し指と親指で軌跡Ｌ１−１〜Ｌ１−４のように四隅のいずれかの領域で円をなぞることによりロックの開始及び解除をすることができる。また、四隅の全の領域で円をなぞる入力を行わないとロックを開始したりロックを解除したりすることができないように構成してもよい。また、四隅をなぞる順番もロック開始及び解除の判定条件に含めるようにしてもよい。それにより、他人に盗難された場合など容易にロックを解除させないようにすることもできる。また、複数の円を設定する位置は、四隅に限られず四辺の近傍のいずれの位置に設定してもよく、また、領域の数についても任意の数を設定するようにしてもよい。
【００２５】
上記の第１実施形態の構成では、一般的なアプリケーションプログラムは１本の指で操作されるので、２本の指で操作することにより本実施形態に係るロックの開始の操作であると判定できることを前提としていた。これに対して、２本の指で操作するようなアプリケーションプログラムが存在する場合であって、さらに当該アプリケーションプログラムにおいても円をなぞるような操作をユーザに要求している場合には、操作を区別することは困難になる。このような場合、ロックの開始を受け付ける画面を表示させる必要がある。例えば、ロックを開始したい場合、図６（Ａ）の端末装置１に示すようにユーザが指で表示部１１の右辺近傍から、水平方向に右から左、左から右としたスライドする操作を行う。制御部１３は、検出部１２から出力される操作の位置情報を受けて、このような操作を検出した場合、ロック開始受付状態への遷移を行い、図６（Ｂ）示すように引き戸の下の部分を示す画像情報２００を表示部１１に表示させる。次に、図７（Ａ）に示すようにユーザが指をＬ３に示す方向へ画像情報２００を下へスライドさせるように動かすと、引き戸がその動きに応じて下りてくるように画像が表示される。そして、引き戸を完全に閉めた状態まで変化させた場合、図７（Ｂ）に示すような表示となり、図７（Ｂ）では一例として引き戸の画像にはユーザに対する補助入力を示すつまみの画像情報２０１が含まれている。これにより、ユーザが２つの指でこのつまみをひねるように操作面上をなぞることにより、ロックを開始することが可能となる。
なお、図７（Ｂ）のつまみの画像は、ユーザの２本の指の動きにあわせて回転するように構成されており、どこまでなぞったかをユーザに示すことが可能となっている。
また、引き戸の画像に示す情報は、図７（Ｂ）のつまみに限られず、レバーなどユーザが直感的に分かるような画像であってもよく、また、前述した図４や図５（Ａ）に示すようなマークや背景色を変えるような情報であってもよく、また、何も表示しなくてもよい。何も表示しない場合、ユーザは予め覚えている領域と大きさに応じて円を２本の指でなぞる操作を行うことになる。また、引き戸の画像が表示されている状態が一定時間継続した場合や引き戸を開くような操作を受けた場合は元の状態、すなわちロックが行われてないアプリケーションプログラムが実行中の状態に戻ることになる。
【００２６】
（第２実施形態）
図８は、本発明の第２実施形態の端末装置２を示したブロック図である。第２実施形態の端末装置２ではユーザが２つの指で円をなぞった変化量に応じて部分的に端末装置２の機能に対してロックを開始及び解除する処理について説明する。端末装置２について第１実施形態と同じ構成については同じ符号を付し、以下異なる構成について説明する。端末装置２は、記憶部１４を備えている。記憶部１４は、図９に示すようなデータベースを記憶している。図９のデータベースにおいて変化量の項目は、ユーザが２つの指で操作を行った軌跡の長さが、円全体に対してどれぐらいの割合であったかを示す値が予め記憶される。ロック対象処理の項目には、ロックを行う対象となる処理に関する情報が記憶される。例えば、図９の例では、以下のような条件を示している。ロックされていない状態では、変化量が円周全体の１／２以上である場合、ロック状態となりロック解除以外の処理を行うことができないようにする。以下、この状態を完全なロック状態という。変化量が円周全体の１／３以上で１／２未満の場合は、処理Ａと処理Ｂに対する操作を行うことができないようにする。変化量が円周全体の１／４以上で１／３未満の場合は、処理Ａに対する操作を行うことができないようにするという条件を示している。以下、これら２つ場合を、部分的なロック状態という。一方、ロックされている状態では、変化量が円周全体の１／２以上である場合、ロックの解除を行う。変化量が円周全体の１／３以上で１／２未満の場合は、処理Ａと処理Ｂに対するロック解除を行う。変化量が円周全体の１／４以上で１／３未満の場合は、処理Ａに対するロック解除を行うという条件を示している。制御部１３ａは、第１実施形態の制御部１３の構成に加えて記憶部１４からデータベースを読み出し、データベースに記憶されている情報に基づいて判定を行いロックの開始及び解除の処理を行う。
【００２７】
図１０を参照しつつ端末装置２の処理について説明する。ステップＳ２０１からステップＳ２０３までは、第１実施形態の端末装置１によるステップＳ１０１からステップＳ１０３と同じ処理であるため、以下、ステップＳ２０３以降の処理について説明する。なお、第２実施形態においてもユーザは、図２に示す操作面上での操作を行うものとする。ステップＳ２０３で、制御部１３ａは、ロック状態でないと判定した場合、操作面上で操作された軌跡Ｌ１の長さが、予め定められる所定量以上であるか否かを判定する。ここで、所定量とは、記憶部１４の一番上の行に記憶されているロック対象処理が全ての処理となっている行の変化量の項目に該当し、図９の例では、所定量は１／２となる。したがって、制御部１３ａは、軌跡Ｌ１の長さが予め設定されている円の円周の１／２以上の長さであるか否かを判定する（ステップＳ２０４）。制御部１３ａは、軌跡Ｌ１の長さが予め設定されている円の円周の１／２以上の長さである場合、ロック開始の処理を行う（ステップＳ２０５）。一方、制御部１３ａは、軌跡Ｌ１の長さが予め設定されている円の円周の１／２以上の長さでない場合、円周に対する軌跡Ｌ１の長さの割合を算出し、記憶部１４のデータベースの変化量の項目を参照して、それが１／３以上で１／２未満であるか、１／４以上で１／３未満であるかを判定する。例えば、軌跡Ｌ１の長さの割合が、４０％の場合、１／３以上で１／２未満であるため、制御部１３ａは、記憶部１４のデータベースの変化量の項目が１／３に対応付けられている処理Ａ及びＢを読み出す。そして、制御部１３ａは、読み出した処理Ａ及びＢの情報に基づいて、検出部１２から操作を示す位置情報を受けた場合に、その操作が処理Ａまたは処理Ｂに対するものである場合は、それらの処理を起動しない。すなわち、処理Ａ及び処理Ｂに対する部分的なロックを開始する。また、例えば、軌跡Ｌ１の長さの割合が、２０％の場合、１／４以上で１／３未満であるため、制御部１３ａは、記憶部１４のデータベースの変化量の項目が１／３に対応付けられている処理Ａを読み出す。そして、制御部１３ａは、読み出した処理Ａの情報に基づいて、検出部１２から操作を示す位置情報を受けた場合に、その操作が処理Ａに対するものである場合は、処理Ａを起動しない。すなわち、処理Ａに対する部分的なロックを開始する（ステップＳ２０６）。なお、ステップＳ２０５及びＳ２０６において、完全なロック状態、部分的なロック状態に関わらず第１実施形態と同様に制御部１３ａは、ロック状態を示すフラグに１を設定する
【００２８】
一方、制御部１３ａは、ステップＳ２０３においてロック状態であると判定した場合、すなわち、ロック状態を示すフラグに１が設定されている場合、操作面上で操作された軌跡Ｌ１の長さが、予め定められる所定量以上であるか否かを判定する。ステップＳ２０７においてもステップＳ２０４と同じく所定量は１／２となる。したがって、制御部１３ａは、軌跡Ｌ１の長さが予め設定されている円の円周の１／２以上の長さであるか否かを判定する（ステップＳ２０７）。制御部１３ａは、軌跡Ｌ１の長さが予め設定されている円の円周の１／２以上の長さである場合、ロック状態の解除の処理を行い、ロック状態を示すフラグに０を設定する（ステップＳ２０８）。一方、制御部１３ａは、軌跡Ｌ１の長さが予め設定されている円の円周の１／２以上の長さでない場合、円周に対する軌跡Ｌ１の長さの割合を算出し、記憶部１４のデータベースの変化量の項目を参照して、それが１／３以上で１／２未満であるか、１／４以上で１／３未満であるかを判定する。例えば、軌跡Ｌ１の長さの割合が、４０％の場合、１／３以上で１／２未満であるため、制御部１３ａは、記憶部１４のデータベースの変化量の項目が１／３に対応付けられている処理Ａ及びＢを読み出す。そして、制御部１３ａは、処理Ａ及び処理Ｂのロックを解除する。また、例えば、軌跡Ｌ１の長さの割合が、２０％の場合、１／４以上で１／３未満であるため、制御部１３ａは、記憶部１４のデータベースの変化量の項目が１／３に対応付けられている処理Ａを読み出す。そして、制御部１３ａは、処理Ａのロックを解除する（ステップＳ２０９）。なお、ステップＳ２０９の処理では、フラグに対する処理は行わず、ロック状態を示す１のままとする。
【００２９】
なお、ステップＳ２０８及びＳ２０９の処理において、ロックが開始されたときと違う変化量の操作が行われた場合、制御部１３ａは、ロック解除を受け付けない。ただし、ステップＳ２０８については、完全なロック状態、部分的なロック状態に関わらず全てのロック状態を解除するようにしてもよい。また、ロック状態において、図７（Ｂ）で示したつまみの形状を表示できるようにし、さらに、円周上に１／２、１／３、１／４の目盛りを表示することで、現在のロック状態を把握することができ、どこまでなぞれば、どのロックが解除されるかをユーザに示すようにすることで、ロックされている状態に応じたロック解除の操作をユーザに促すことが可能となる。また、この目盛り付きのつまみ形状をロックの開始の際にも表示することで、どこまでの操作によってどの処理がロックできるのかをユーザに示すことが可能となる。
【００３０】
上記の第２実施形態の構成により、ユーザは、２つの指でなぞる長さによって端末装置２の機能に対して部分的にロックを開始及び解除することができる。これにより、例えば、操作面上の操作を受け付けないようにするだけでなく、操作面での操作は受け付けられるものの特定のアプリケーションプログラムを起動させないようにし、また、電話の機能においてマナーモードにして呼び出し音が鳴動しないようにするといったことも当該操作により可能となる。
また、第２の実施形態の構成においても、図４、５、６、７で示したような構成を組み合わせるようにしてもよい。
また、上記の第１及び第２の実施形態の構成において、端末装置１及び２は、ロックを開始する処理またはロックを解除する処理のいずれか一方を備えるようにしてもよい。例えば、電源のＯＦＦでロックが開始されるような端末装置については、ロック解除の処理を備えていればよく、また逆に、ロックの開始を第１または第２の実施形態の構成で行い、ロックの解除は、従来の技術を用いるように構成することもできる。
【００３１】
上記の実施形態の一部又は全部は、以下の付記のようにも記載されうるが、以下には限られない。
【００３２】
（付記１）
画面を有する表示部と、
前記表示部の画面に対する操作を示す操作情報を検出する検出部と、
前記操作情報が前記画面上の複数の位置を示す情報を含み、前記複数の位置の変化の軌跡が予め定められる図形をなぞる軌跡である場合、予め定められる処理をロックする制御部と、
を備えることを特徴とする端末装置。
【００３３】
（付記２）
前記予め定められる図形は、円であり、前記複数の位置は、２つの位置であり、前記２つの位置の変化は、前記円の円周に沿って同方向に動いて前記円をなぞる軌跡である
ことを特徴とする付記１に記載の端末装置。
【００３４】
（付記３）
前記制御部は、前記予め定められる図形または前記予め定められる図形の前記画面上の位置を示す情報を前記表示部に表示させる
ことを特徴とする付記１または２に記載の端末装置。
【００３５】
（付記４）
前記制御部は、前記複数の位置の変化の軌跡の長さと、予め定められる所定の長さとに基づいて、前記予め定められる処理をロックするか否かを判定する
ことを特徴とする付記１から３のいずれか１つに記載の端末装置。
【００３６】
（付記５）
前記予め定められる処理は、複数の処理があり、
前記複数の処理の各々は、それぞれ異なる長さに対応付けられており
前記制御部は、前記複数の位置の変化の軌跡の長さに応じた処理を選択し、選択した処理をロックする
ことを特徴とする付記１から４のいずれか１つに記載の端末装置。
【００３７】
（付記６）
前記制御部は、
前記予め定められる処理がロックされている場合に、前記操作情報が前記画面上の複数の位置を示す情報を含み、前記複数の位置の変化の軌跡が予め定められる図形をなぞる軌跡である場合、前記予め定められる処理のロックを解除する
ことを特徴とする付記１から５のいずれか１つに記載の端末装置。
【００３８】
（付記７）
画面を有する表示部と、
前記表示部の画面に対する操作を示す操作情報を検出する検出部と、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する制御部と、
を備えることを特徴とする端末装置。
【００３９】
（付記８）
前記予め定められる図形は、円であり、前記複数の位置は、２つの位置であり、前記２つの位置の変化は、前記円の円周に沿って同方向に動いて前記円をなぞる軌跡である
ことを特徴とする付記７に記載の端末装置。
【００４０】
（付記９）
前記制御部は、前記予め定められる図形または前記予め定められる図形の前記画面上の位置を示す情報を前記表示部に表示させる
ことを特徴とする付記７または８に記載の端末装置。
【００４１】
（付記１０）
前記制御部は、前記複数の位置の変化の軌跡の長さと、予め定められる所定の長さとに基づいて、前記予め定められる処理のロックを解除するか否かを判定する
ことを特徴とする付記７から９のいずれか１つに記載の端末装置。
【００４２】
（付記１１）
前記予め定められる処理は、複数の処理があり、
前記複数の処理の各々は、それぞれ異なる長さに対応付けられており
前記制御部は、前記複数の位置の変化の軌跡の長さに応じた処理を選択し、選択した処理のロックを解除する
ことを特徴とする付記７から１０のいずれか１つに記載の端末装置。
【００４３】
（付記１２）
前記制御部は、
前記予め定められる処理がロックされていない場合に、前記操作情報が前記画面上の複数の位置を示す情報を含み、前記複数の位置の変化の軌跡が予め定められる図形をなぞる軌跡である場合、前記予め定められる処理をロックする
ことを特徴とする付記７から１１のいずれか１つに記載の端末装置。
【００４４】
（付記１３）
画面に対する操作を示す操作情報を検出し、
前記操作情報が前記画面上の複数の位置を示す情報を含み、前記複数の位置の変化の軌跡が予め定められる図形をなぞる軌跡である場合、予め定められる処理をロックする
ことを特徴とするロック開始方法。
【００４５】
（付記１４）
コンピュータに、
画面に対する操作を示す操作情報を検出する手順、
前記操作情報が前記画面上の複数の位置を示す情報を含み、前記複数の位置の変化の軌跡が予め定められる図形をなぞる軌跡である場合、予め定められる処理をロックする手順
を実行させるためのプログラム。
【００４６】
（付記１５）
画面に対する操作を示す操作情報を検出し、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する
ことを特徴とするロック解除方法。
【００４７】
（付記１６）
コンピュータに、
画面に対する操作を示す操作情報を検出する手順、
前記操作情報が前記画面上の複数の位置を示す情報を含み、前記複数の位置の変化の軌跡が予め定められる図形をなぞる軌跡であり予め定められる処理がロックされている場合、前記予め定められる処理のロックを解除する手順
を実行させるためのプログラム。
【符号の説明】
【００４８】
１  端末装置
１１  表示部
１２  検出部
１３  制御部
【図１】
2014045424.tif 000003
【図２】
2014045424.tif 000004
【図３】
2014045424.tif 000005
【図４】
2014045424.tif 000006
【図５】
2014045424.tif 000007
【図６】
2014045424.tif 000008
【図７】
2014045424.tif 000009
【図８】
2014045424.tif 000010
【図９】
2014045424.tif 000011
【図１０】
2014045424.tif 000012